(57)【要約】【課題】部品点数の増加を抑制すると共に、灯具本体の組み付け作業を簡素化することができるばかりでなく、照明領域の配光調整が容易で且つ所望の場所に簡便に取り付けることができるユニット式照明装置を提供する。【解決手段】一対の灯具本体１と、これら各々の灯具本体１の端部に接続された略鈍角Ｌ字形状に屈曲されたアーム４と、これら双方のアーム４を接続保持する一つの台座ソケット５と、この台座ソケット５を他の台座ソケット５に接続する円柱状のジョイント部材６から概ね構成する。一対の灯具本体１，１は、台座ソケット５の端面接続部より左右に分岐して二股に拡開した平面視で略Ｙ字形状を呈する。【選択図】図１
2016225144.tif 000002
【特許請求の範囲】
【請求項１】
一対の灯具取り付け用孔部と連結用孔部とを有する台座と、該台座の前記一対の灯具取り付け用孔部に、それぞれ回動可能に係合する灯具連結部材と、該灯具連結部材に回動可能に係合する灯具本体と、からなり、前記台座を複数連結する連結部材とから構成されることを特徴とするユニット式照明装置。
【請求項２】
灯具本体は、複数のＬＥＤ素子を備えた基板と、該基板を覆う乱反射板と、からなる複数の光源ユニットが、所定の角度にて取り付けられていることを特徴とする請求項１記載のユニット式照明装置。
【請求項３】
光源ユニットは、取り付け角度調整機構をさらに備えることを特徴とする請求項２記載のユニット式照明装置。
【請求項４】
複数のＬＥＤ素子を備えた基板は、複数の基板を連結した基板からなり、連結角度調整機構を備えたことを特徴とする請求項２記載のユニット式照明装置。
【発明の詳細な説明】
【技術分野】
【０００１】
本発明は、照明装置に関し、とくに光源ユニットを搭載した複数のフレームを一つのジョイントで同一外形状のパーツとして保持するようにユニット化された照明装置に関するものである。
【背景技術】
【０００２】
近年、ＬＥＤを光源に用いた様々な照明装置（以下、単にＬＥＤ照明装置という）が提供されている。
【０００３】
例えば、光源ユニットを搭載した灯具本体が筺状フレームに固定して取り付けられたＬＥＤ照明装置がある（特許文献１参照。）。この照明装置は、複数個の光源ユニットが設置された金属板を筺状フレームの表面に設置して、金属板を多数のボルトでねじ止めすることにより、筺状フレームに取り付けられている。
【０００４】
このように、ＬＥＤ照明装置は、基本的に上記のような光源ユニットを収納する筺体と、筺体を支持するポールなどに取り付ける結線ボックスとを備え、結線ボックスは、筺体と別に設置される点灯装置に接続される電線と光源ユニットに接続される電線とがそれぞれ導入され、結線ボックス内に収納された電源への接続端子を介して商用電源等に接続される。
【０００５】
しかしながら、特許文献１に記載された照明装置において、照度や光量を増加するためには、光源ユニットの増設を要する。このため、光源ユニットを取り付けるためのボルト等の部品点数が増加するばかりでなく、組み付け作業が煩雑になるという問題がある。しかるに、屋外照明灯など比較的大きな光量が必要なＬＥＤ照明装置においては、所望の光量を確保するために、多数の光源ユニットを備える必要がある。
【０００６】
そこで、例えば、特許文献２に記載されたＬＥＤ照明装置が提案されている。この装置は、複数の灯具を有しており、これら複数の灯具は、光源と、この光源を保持して光源の光を前面から放射する灯具本体とをそれぞれ備え、複数の灯具本体は雌雄結合して互いに連結されており、例えば箱形の器具本体に複数台の灯具を取り付ける構造と比較して、灯具同士の隙間を狭めることができ、照明装置の小型化を図ることができるとされている。
【０００７】
また、ベース体と２つの光源装置と２つの接続装置と、一つの固定装置を備え、ベース体の両端は導電部と組付け部とを有し、光源装置がベース体の組付け部に相対して回転する照明角度調節可能な発光ダイオード灯具が提案されている（特許文献３参照。）。
【０００８】
他にも、中空状の柱の内部に設けられた線路を介して電圧が供給されるＬＥＤ素子を含む発光部から照射される光より道路を照らすＬＥＤ道路灯であって、前記柱には、当該柱の内部を露出させるための開口部が形成されると共に、前記開口部を覆い、取り外し可能な蓋部が設けられており、配電線からの電圧が一次側に供給されると共に、端子台部を内蔵した前記開口部の内側に設けられた接続箱と、前記接続箱の二次側より出力される第１ラインと、前記第１ラインが一次側に入力され、前記第１ラインを介して供給される電圧を所定の電流電圧形態に変換して二次側より出力する電源装置と、前記電源装置の二次側から出力される複数の第２ラインと、前記複数の第２ラインと前記複数の第２ラインと、前記発光部に接続される複数の第３ラインと、前記複数の第３ラインを一時に連結／解除可能な接続コネクタとを有し、前記接続コネクタは前記接続箱の外側に配置し、このように接続箱内部での配線を簡略化することで、誤配線や接触などの事故の発生を未然に防ぐと共に、電源装置の交換作業を容易にしたＬＥＤ道路灯が提案されている（特許文献４参照。）。
【先行技術文献】
【特許文献】
【０００９】
【特許文献１】特開２０１２−３８５３２号公報
【特許文献２】特開２０１５−２２８１６公報
【特許文献３】実用新案登録第３１９０１８６号公報
【特許文献４】特開２０１４−３８７８１号公報
【００１０】
一方、ＬＥＤ素子は素子本体からの発熱や、周囲の温度上昇によって劣化するおそれがあり、適度の冷却が必要となる。そのため、照明装置の灯具本体を溶融点の異なる多種類の金属材料で段階的に鍛造して、高い放熱効果を持たせた照明装置なども提案されているが、製造工程が複雑であり製品コストが嵩むという課題がある。
【発明の概要】
【発明が解決しようとする課題】
【００１１】
本発明もまた、上記のような課題に鑑みなされたものであり、部品点数の増加を抑制すると共に、灯具本体の組み付け作業を簡素化することができるばかりでなく、照明領域の配光調整が容易で且つ所望の場所に簡便に取り付けることができるユニット式照明装置を提供することを目的とする。
【課題を解決するための手段】
【００１２】
このため、本発明のユニット式照明装置は、一対の灯具取り付け用孔部と連結用孔部とを有する台座と、該台座の前記一対の灯具取り付け用孔部に、それぞれ回動可能に係合する灯具連結部材と、該灯具連結部材に回動可能に係合する灯具本体と、からなり、前記台座を複数連結する連結部材とから構成されることを第１の特徴とする。また、灯具本体は、複数のＬＥＤ素子を備えた基板と、該基板を覆う乱反射板と、からなる複数の光源ユニットが、所定の角度にて取り付けられていることを第２の特徴とする。さらに、光源ユニットは、取り付け角度調整機構をさらに備えることを第３の特徴とする。さらにまた、複数のＬＥＤ素子を備えた基板は、複数の基板を連結した基板からなり、連結角度調整機構を備えたことを第４の特徴とする。
【発明の効果】
【００１３】
本発明は以下の優れた効果を奏する。
（１）光源ユニットが搭載されるフレームや各種ジョイントを共通パーツとして基本ユニット化することで、金型コストの削減をはじめ、製造コストが安価になる。
（２）所望する照度の調整を基本ユニットの増減のみで行うことができるので、汎用性及び高い設計自由度が得られる。
（３）デザインの統一化を図ることができ美観に優れる。
【図面の簡単な説明】
【００１４】
【図１】本発明に係るユニット式照明装置の一実施例を示す斜視図である。
【図２】図１のユニット式照明装置を複数組連結した状態を示す斜視図である。
【図３】図２の平面図である。
【図４】図１のユニット式照明装置の他の連結状態を示す斜視図である。
【図５】図４の平面図である。
【図６】本発明に係るユニット式照明装置の他の実施例を示す斜視図である。
【図７】本発明に係るユニット式照明装置の他の実施例を示す斜視図である。
【図８】灯具本体の軸角度の違いによる照度及び照明範囲を模式的に示す説明図である。
【発明を実施するための形態】
【００１５】
以下、図面に示す実施例に基づいて本発明の実施形態を説明する。
【実施例１】
【００１６】
図１に示すように、本実施例に係るユニット式照明装置は、一対の灯具本体１と、これら各々の灯具本体１の端部に接続された略鈍角Ｌ字形状に屈曲されたアーム４と、これら双方のアーム４を接続保持する一つの台座ソケット５と、この台座ソケット５を他の台座ソケット５に接続する円柱状のジョイント部材６から概ね構成されており、一対の灯具本体１，１は、台座ソケット５の端面接続部より左右に分岐して二股に拡開した平面視で略Ｙ字形状を呈するように構成されている。
【００１７】
灯具本体１は、耐候性・防水性を有する軽金属ダイキャスト製の半円筒筐体状のフレーム２内には、光源である光源ユニット３がＬＥＤ基板を囲む乱反射板３ａと共に搭載され、商用電源から同じくフレーム２内に設けられた電源ユニット（図示せず）を介して電力供給されて発光する。
【００１８】
ここで、光源ユニット３は、熱伝導性に優れるアルミ製の基材表面に絶縁体を介して回路が形成され、ＬＥＤ素子が表面に実装されている。乱反射板３ａはアルミニウム製で、その表面に高純度のチタン及びシリコンをコーティングされた鏡面板であり、ＬＥＤ素子から照射される光を効率よく反射して照射できるようにされている。
【００１９】
一対の灯具本体１の下端には、アーム４の一端がその軸方向（図１に二点鎖線で示すＸ軸方向）周りに回動自在に接続されると共に、アーム４の他端は、三角柱状の台座ソケット５に穿設された一対のアーム取付け用孔５ａ，５ａに、その軸方向（図１に二点鎖線で示すＹ軸方向）周りに回動自在に接続されている。すなわち、これらＸ軸及び／又はＹ軸の２軸の軸周り方向を所定の角度に調整可能な角度調整機構を設けることで、被照射物に対する眩しさに対する光量軽減を含めた照度調整を図ることができる。
【００２０】
さらに、台座ソケット５には、ジョイント部材６を介して他の台座ソケット５と連結するための連結用孔５ｂが穿設され、複数個の台座ソケット５同士を連結できるようにされている。すなわち、図２及び図３に示すように、図１に示すユニット化された照明装置を一単位のパーツとし、所望する光量や照度あるいは景観に応じてその数量の増減が容易にできるようにされている。
【００２１】
図４及び図５に示すように、本実施例に係るユニット式照明装置は、ポール８の上端に取付けられたベース盤７に平面視で放射状に配置するものでもよい。このベース盤７は周方向に等角度三か所のジョイント連結孔７ａ，７ａ，７ａが穿設され、各々のジョイント連結孔７ａ，７ａ，７ａに、図１の照明装置のジョイント６を介し三股状に連結されている。
【実施例２】
【００２２】
図６に示すように、実施例２はフレーム２の一部に台座部９を一体的に設け、ポール挿通孔９ａを穿設した灯具本体１０で、ポール８の軸線周方向に回動可能に取り付けたものである。そして、これら灯具本体１０を上下に複数個積層した状態で各々の光源ユニット３の位置角度を異相させて扇状に配置することができるようにされている。
【実施例３】
【００２３】
図７に示すように、実施例３は直方体状の台座ソケット５の両長辺側に各々一対の灯具本体１，１が軸承して配置されており、それぞれ支軸周りに独立して回転可能に支持されている。これにより、灯具本体１，１の照射方向角度を適宜調整できるようにされている。
【００２４】
尚、灯具本体１の光軸方向については、必要とする照射領域内において拡散や照度むらが許容範囲内に収まり、かつ照度がなるべく高くなるように実験により決定すればよい。例えば、図８に示すように、高さＨ＝１０ｍに配置した４台の灯具本体１Ａ，１Ｂ，１Ｃ及び１Ｄの地表面に対する傾斜角度を、それぞれｄ１＝１８°、ｄ２＝４０°、ｄ３＝２２°、ｄ４＝３０°と変化させて左右の任意距離における照度を測定した。その結果、直下照度３７ルクスのとき、灯具本体１Ａ及び１Ｂ側方向、すなわち、図面右方向２０ｍ位置で１．２ルクス、灯具本体１Ｃ及び１Ｄ側、ずなわち、図面左方向２０ｍの位置で３．６ルクスであった。通常、道路照明設置基準においては３ルクス以上であれば十分な照度が確保できるので、角度調整によりその効果が得られることが実証された。同様に、実験施設において、上記の灯具の数量と地表面に対する傾斜角度を適宜選定を行い、３車線、４車線の道路における鉛直方向の水平面照度分布を測定したところ、道路照明設置基準を満たすことが確認された。したがって、照射領域内において所望する光量調整が簡便にでき、曳いては照射効率の向上を図ることができる。
【００２５】
以上、本発明の実施の形態を説明したが、本発明は上記実施例に限定されるものではなく、特許請求の範囲の趣旨を逸脱しない限りにおいて、種々の変更が可能である。例えば、本実施例の発明のフレームは、半円筒形又は直方体形状を有しているが、その形状は任意の角数の多角形状や楕円形状あるいは舟形状等であってもよい。さらに、照明器具の調光制御による配光領域の低減も、光源の取り付け角度調整機構などにより、解消することが可能となる。また、道路灯において従来は、ポール１本につき１台の灯具が取り付けられており、２台以上の灯具を取り付けるためには分岐したポールを使用する必要があったが、上述したジョイント部材を共有して、対となる形状を採用することによって１本のポールに２台の灯具を取り付けることが可能となり、車線に対して対面してポールと灯具をそれぞれ設置する必要がある従来技術と比較し、大幅に施工費用の低減が図れる。
【産業上の利用可能性】
【００２６】
本発明によれば、材料減によるダイカスト製造単価の削減、ダイカスト品の品質の向上、ワット数ごとの戦略的な価格設定が可能になる。また、積雪地帯において一度に落下する雪の量の軽減、自在な乱反射配光と照度の設計自由度が格段に向上する。また、必要な領域に光を効率良く照射することができるので、従来と同等定格のＬＥＤを使用した場合には従来よりも照度むらの少ない良好な均斉度が得られるという効果がある。したがって、従来よりも定格の低いＬＥＤを使用して従来と同等の照明効果が得られるばかりでなく、均一に照明を行うことができ、また基本ユニットごとに独立した形状なので、光源ユニット同士を隣接させて発光させる従来方式と比べ、発熱量の低減と総光束の分散を図ることができ、これにより光源ユニットの熱による劣化を抑え、同時に発光部を直視した際の眩しさ軽減に多大なる寄与ができる。
【符号の説明】
【００２７】
１    灯具本体
２    フレーム（筺体）
３    光源ユニット
３ａ  乱反射板
４    アーム
５    台座ソケット
６    ジョイント部材
７    ベース盤
８    ポール
９    台座部
１０  灯具本体
【図１】
2016225144.tif 000003
【図２】
2016225144.tif 000004
【図３】
2016225144.tif 000005
【図４】
2016225144.tif 000006
【図５】
2016225144.tif 000007
【図６】
2016225144.tif 000008
【図７】
2016225144.tif 000009
【図８】
2016225144.tif 000010